【事件の表示】
　特願２０１６−５１１６０４「低タールメンソールシガレット」拒絶査定不服審判事件〔平成２７年１０月　８日国際公開、ＷＯ２０１５／１５２０１７、請求項の数（５）〕について、次のとおり審決する。
【結　論】
　原査定を取り消す。
　本願の発明は、特許すべきものとする。
【理　由】
第１　手続の経緯
　本願は、２０１５年（平成２７年）３月２６日（優先権主張２０１４年４月３日、日本国）を国際出願日とする出願であって、平成２９年１１月３０日付けで拒絶理由の通知がなされ、平成３０年１月２５日に意見書の提出及び手続補正がなされ、平成３０年６月２２日付けで拒絶査定（原査定）がなされ、これに対し、平成３０年９月１９日に拒絶査定不服審判の請求がなされると同時に手続補正がなされ、平成３０年１０月１５日付けで前置報告がなされ、平成３０年１１月２８日に審判請求人から前置報告に対する上申がなされたものである。
第２　原査定の概要
　原査定（平成３０年６月２２日付け拒絶査定）の概要は次のとおりである。
（進歩性）この出願の請求項１〜５に係る発明は、その出願前に日本国内又は外国において、頒布された下記の引用文献１〜６に基いて、その出願前にその発明の属する技術の分野における通常の知識を有する者（以下「当業者」という。）が容易に発明をすることができたものであるから、特許法第２９条第２項の規定により特許を受けることができない。
　　　　　　　　　　　　＜引用文献等一覧＞
１．特表２０１３−５１１２６５号公報
２．特開２０１１−２２９４８１号公報
３．国際公開第２０１３／１７９４２９号（周知技術を示す文献）
４．特表２０１２−５２７２２１号公報（周知技術を示す文献）
５．特開２０１０−２１３６５５号公報（周知技術を示す文献）
６．特開昭５５−１３５５８１号公報（周知技術を示す文献）
第３　本願発明
　本願請求項１〜５に係る発明（以下、それぞれ「本願発明１」〜「本願発明５」という。）は、平成３０年９月１９日の手続補正で補正された特許請求の範囲の請求項１〜５に記載された事項により特定される発明であり、以下のとおりの発明である。
「【請求項１】
　たばこロッド部と、チップペーパーで巻装されたフィルター部を有する、タール量が５ｍｇ以下の低タールメンソールシガレットであって、前記フィルター部はセルロースアセテートトウで構成された単一のセグメントを含み、前記フィルター部の通気抵抗が２５〜５０ｍｍＨ２Ｏ／２７ｍｍであるとともに、前記チップペーパーに穿設されたベンチレーション孔からの空気流入のベンチレーション割合が７０％以上であり、前記フィルター部のセルロースアセテートトウに収着させることでメンソールが添加されている、低タールメンソールシガレット。
　　【請求項２】
　前記フィルター部へのメンソール添加量が、低タールメンソールシガレット１本当たり、８ｍｇ／本以上である、請求項１に記載の低タールメンソールシガレット。
　　【請求項３】
　前記たばこロッド部またはフィルター部が抵抗体を有する、請求項１または２に記載の低タールメンソールシガレット。
　　【請求項４】
　前記抵抗体がカプセルまたはオリフィスである、請求項３に記載の低タールメンソールシガレット。
　　【請求項５】
　前記低タールメンソールシガレットの円周が２０．０〜２７．０ｍｍである、請求項１〜４のいずれか一項に記載の低タールメンソールシガレット。」
 
第４　引用文献、引用発明等
１．引用文献１について
（１）　原査定の拒絶の理由に引用された引用文献１には、図面とともに次の事項が記載されている（下線は、当審で付与したものである。以下同様である。）。
「【請求項１】
　
喫煙物品（１０、２０、３０、４０、５０）のフィルタ（１４）に使用するフィルタセグメント（１６）であって、前記フィルタセグメント（１６）が、少なくとも１つの煙改質剤が充填された非層状基材（２０）を含み、前記非層状基材（２０）が、前記フィルタセグメント（１６）の本体内に配置され、少なくとも約３０００コレスタ単位の通気性を有するフィルタプラグラップから形成される、フィルタセグメント（１６）
【請求項２】
　前記非層状基材（２０）が、約５０００コレスタ単位と約３００００コレスタ単位の間の通気性を有するフィルタプラグラップから形成される、請求項１に記載のフィルタセグメント（１６）。
【請求項３】
　前記非層状基材（２０）が、約６０００コレスタ単位と約２４０００コレスタ単位の間の通気性を有するフィルタプラグラップから形成される、請求項２に記載のフィルタセグメント（１６）。
【請求項４】
　前記非層状基材（２０）が、約１０ｇ／ｍ2と約８０ｇ／ｍ2の間の坪量を有するフィルタプラグラップから形成される、請求項１、請求項２、又は請求項３に記載のフィルタセグメント（１６）。
【請求項５】
　
前記非層状基材（２０）にメントールが充填される、請求項１から請求項４の何れかに記載のフィルタセグメント（１６）。
【請求項６】
　前記非層状基材（２０）が着色される、前記請求項の何れかに記載のフィルタセグメント（１６）。
【請求項７】
　前記非層状基材（２０）が、フィルタプラグラップの１つ又はそれ以上のストリップから形成されたスレッドである、前記請求項の何れかに記載のフィルタセグメント（１６）。
【請求項８】
　前記非層状基材（２０）が、約０．５ｍｍと約３ｍｍの間の直径を有する、請求項７に記載のフィルタセグメント（１６）。
【請求項９】
　
前記非層状基材（２０）が、前記フィルタセグメント（１６）の前記本体内で軸方向に延びる、請求項７又は請求項８に記載のフィルタセグメント（１６）
【請求項１０】
　前記請求項の何れかに記載のフィルタセグメント（１６）の製造に使用するスレッドのボビンであって、該スレッドが、少なくとも約３０００コレスタ単位の通気性を有するフィルタプラグラップから形成され、約０．５ｍｍと約３ｍｍの間の直径を有する。
【請求項１１】
　請求項１から請求項９の何れかに記載のフィルタセグメント（１６）を含む、喫煙物品（１０、２０、３０、４０、５０）のためのフィルタ（１４）。
【請求項１２】
　そのマウスエンドに請求項１から請求項９の何れかに記載のフィルタセグメント（１６）を含む、喫煙物品（３０、５０）のためのマルチセグメントフィルタ（１４）。
【請求項１３】
　請求項１１又は請求項１２に記載のフィルタ（１４）を含む、喫煙物品（１０、２０、３０、４０、５０）。
【請求項１４】
　喫煙物品（１０、２０、３０、４０、５０）のフィルタ（１４）のためのフィルタセグ
メント（１６）の前記本体内に少なくとも１つの煙改質剤のための非層状基材（２０）として、少なくとも約３０００コレスタ単位の通気性を有するフィルタプラグラップの使用。
【請求項１５】
　フィルタ（１４）を含む喫煙物品（１０、２０、３０、４０、５０）によって生じる煙を改質する方法であって、前記フィルタ（１４）のフィルタセグメント（１６）の前記本体内に少なくとも１つの煙改質剤が充填された、少なくとも約３０００コレスタ単位の通気性を有するフィルタプラグラップから形成された非層状基材（２０）を提供する段階を含む方法。」（特許請求の範囲）
「【００３５】
　本発明の特定の好ましい実施形態において、非層状基材にはメントールが充填され、より好ましくは液体又は溶融メントールが充填される。
【００３６】
　非層状基材には、例えば、浸漬、噴霧、もしくは塗布により少なくとも１つの液体煙改質剤をフィルタプラグラップに塗布することで、少なくとも１つの液体煙改質剤を充填することができる。
【００３７】
　
非層状基材はスレッドであることが好ましい。本明細書で使用する場合、用語「スレッド（ｔｈｒｅａｄ）」は、何らかの細長い非層状基材を示すために使用される
【００３８】
　細長い非層状基材の直径は、約０．５ｍｍと約３ｍｍの間であることが好ましく、約０．５ｍｍと約２．５ｍｍの間であることがより好ましく、約０．８ｍｍと約２ｍｍの間であることが最も好ましい。
【００３９】
　例えば、細長い非層状基材は、約１１ｍｍの幅のフィルタプラグラップの撚られた層状ストリップから形成される直径約０．８ｍｍのスレッド、約４０ｍｍの幅のフィルタプラグラップの撚られた層状ストリップから形成される直径約１．３ｍｍのスレッド、又は約５０ｍｍの幅のフィルタプラグラップの撚られた層状ストリップから形成される直径約１．６ｍｍのスレッドとすることができる。
【００４０】
　本発明によれば、本発明のフィルタセグメントの製造に使用するスレッドのボビンが提供され、スレッドは、少なくとも約３０００コレスタ単位の通気性のフィルタプラグラップから形成される、直径は約０．５ｍｍと約３ｍｍの間である。
【００４１】
　細長い非層状基材は、フィルタセグメント本体内を軸方向に延びることが好ましい。細長い基材は、フィルタセグメントの中心を軸方向に延びることがより好ましい。
【００４２】
　細長い非層状基材の長さは、フィルタセグメントの長さにほぼ等しいことが好ましい。
【００４３】
　非層状基材の長さは、約５ｍｍと約２２ｍｍの間であることが好ましく、約８ｍｍと約１８ｍｍとの間であることがより好ましく、約１５ｍｍであることが最も好ましい。
【００４４】
　しかしながら、本発明のフィルタセグメントは、他の形態の非層状基材を含むことができる。例えば、基材は、フィルタプラグラップのボール又はペレットとすることができる。
【００４５】
　フィルタセグメントは、濾過材プラグを含むことが好ましく、繊維状濾過材プラグを含むことがより好ましく酢酸セルローストウプラグを含むことが最も好ましい。本発明の特定の好ましい実施形態において、フィルタセグメントは、約１．５と約８．０の間のフィラメント当たりのデニール、及び約１５０００と約４６０００の間の合計デニールをもつ酢酸セルローストウのプラグを含む。
【００４６】
　非層状基材は、濾過材プラグ内に配置することが好ましい。非層状基材は、濾過材プラグを通って軸方向に延びることが好ましい。非層状基材は、濾過材プラグの中心を通って軸方向に延びることがより好ましい。
【００４７】
　しかしながら、非層状基材は、フィルタセグメント本体内の他の場所に配置できる。例えば、非層状基材は、フィルタセグメント本体内のキャビティ内に配置できる。
【００４８】
　本発明のフィルタセグメントは、少なくとも１つの煙改質剤が充填された単一の非層状基材を含むことが好ましく、少なくとも１つの煙改質剤が充填された単一の細長い非層状基材を含むことがより好ましく、少なくとも１つの煙改質剤が充填された単一のスレッドを含むことが最も好ましい。
【００４９】
　本発明の好ましい実施形態において、フィルタセグメントは、濾過材プラグ、及び少なくとも１つの香味料が充填され濾過材プラグの中心を通って軸方向に延びる単一の細長い非層状基材又はスレッドを含む。本発明の特定の好ましい実施形態において、フィルタセグメントは、濾過材プラグ、及びメントールが充填され濾過材プラグの中心を通って軸方向に延びる単一の細長い非層状基材を含む。
【００５０】
　しかしながら、本発明のフィルタセグメントは、少なくとも約３０００コレスタ単位の通気性をもつフィルタプラグラップから形成され各々には少なくとも１つの煙改質剤が充填された、２つ又はそれ以上の非層状基材を含むことができる。」
「【００５４】
　
フィルタセグメントは、ＩＳＯ６５６５：２００２で測定する場合に約４０ｍｍＷＧと約１００ｍｍＷＧの間の吸引抵抗（ＲＴＤ）をもつことが好ましく、約７０ｍｍＷＧの吸引抵抗をもつことがより好ましい
「【００６５】
　本発明のフィルタの全カプセル化吸引抵抗（ＲＴＤ）は、ＩＳＯ６５６５：２００２で測定する場合に約１００ｍｍＷＧ（水位計）と約１８０ｍｍＷＧの間であることが好ましい。
【００６６】
　
本発明のフィルタは単一のセグメントフィルタとすることができる
　もしくは、
本発明のフィルタは、本発明のフィルタセグメント及び少なくとも１つの追加のフィルタセグメントを含むマルチセグメントフィルタとすることができる
【００６７】
　本発明のマルチセグメントフィルタは、１つ又はそれ以上の追加の本発明のフィルタセグメント又は１つ又はそれ以上の追加の本発明以外のフィルタセグメント、又はこれらの任意の組み合わせを含むことができる。」
「【００８０】
　しかしながら、本発明のマルチセグメントフィルタは、異なる構成の１つ又はそれ以上の追加の香味放出セグメントを含むことができることを理解されたい。
【００８１】
　例えば、本発明の
マルチセグメントフィルタは、植物葉材料（例えば、細断又は切断タバコ又はペパーミント葉）、１つ又はそれ以上の液体香味料で含浸された濾過材プラグ（例えば、メントールで含浸された酢酸セルローストウのプラグ）、１つ又はそれ以上の香味料が充填された複数の不活性ビーズ又は粒体（例えば、メントールが充填された複数のセルロースビーズ又は粒体）、又はこれらの組み合わせを含む
「【００９５】
　本発明のフィルタは、特に好都合には、「低タール」フィルタ付きシガレット、及びニコチンを除いた全乾燥粒子状物質（ＮＦＤＰＭ）又は
約４ｍｇと約６ｍｇの間の「タール」送達を有する特に「低タール」通気式フィルタ付きシガレット
「【０１００】
　フィルタは、先端紙によって喫煙可能材料のロッドに取り付けられることが好ましい。先端紙は、その長さの少なくとも一部分に沿って透明とすることができる。
【０１０１】
　
本発明の可燃性喫煙物品は、消費者によって喫煙可能材料のロッドからフィルタを通って吸い込まれる主流煙を通気するために、フィルタに沿った場所において穿孔の少なくとも１つの円周の列を更に含むことが好ましい
【０１０２】
　穿孔の少なくとも１つの円周の列は、フィルタのマウスエンドから少なくとも１２ｍｍに配置されることが好ましい。
【０１０３】
　本発明の
可燃性喫煙物品は、ＩＳＯ９５１２：２００２で測定する場合に約４０％と約８０％の間の通気を有することが好ましく、約７０％の通気を有することがより好ましい
「【０１２３】
　本発明の第１の実施形態のフィルタ付きシガレット１０の単一セグメントフィルタ１４は、包装されたタバコロッド１２に隣接してこれと当接する本発明の単一フィルタセグメント１６を含む。図１に示すように、フィルタセグメント１６は、酢酸セルローストウ１８のプラグ並びにフィルタ１４及び包装されたタバコロッド１２の長手方向軸線に対して平行な酢酸セルローストウ１８のプラグを通って軸方向に延びる中心香味担持スレッド２０を含む。中心香味担持スレッド２０は、中心香味担持スレッド２０の端部が、フィルタセグメント１６の端部において見えるように、酢酸セルローストウ１８のプラグと実質的に同じ長さのものである。メントールが充填された中心香味担持スレッド２０は、少なくとも約３０００コレスタ単位の通気性を有する撚られたフィルタプラグラップから形成される。」
「【０１２９】
　
図３に示す本発明の第３の実施形態のフィルタ付きシガレット３０のマルチセグメントフィルタ１４はまた、当接する端と端を接した関係で、包装されたタバコロッド１２から遠位の本発明のマウスエンドフィルタセグメント１６と、マウスエンドフィルタセグメント１６の下流に配置され、包装されたタバコロッド１２に隣接しこれと当接するロッドエンドフィルタセグメント２４との２つのフィルタセグメントを含む
【０１３０】
　図３に示す本発明の第３の実施形態のフィルタ付きシガレット３０のマルチセグメントフィルタ１４のマウスエンドフィルタセグメント１６は、図１に示す本発明の第１の実施形態のフィルタ付きシガレット１０の単一セグメントフィルタ１４のフィルタセグメント１６と同じ構成のものである。
【０１３１】
　本発明の
第３の実施形態のフィルタ付きシガレット３０のマルチセグメントフィルタ１４のロッドエンドフィルタセグメント２４は、そこを通って実質的に均等に分配されたメントールが充填された複数の粒体を有する高濾過効率の酢酸セルローストウのプラグ含む
【０１３２】
　喫煙時、フィルタ付きシガレット３０の包装されたタバコロッド１２の着火端部から下流に吸い込まれる主流煙は、マルチセグメントフィルタ１４のロッドエンドフィルタセグメント２４を通過し、ここで、高濾過効率の酢酸セルローストウは、部分的に煙の粒子相成分を濾過して取り除き、
メントールは、酢酸セルローストウに分配された粒体から主流煙の中に放出される
次いで、主流煙は、本発明のマウスエンドフィルタセグメント１６の下流を通過し、ここで、酢酸セルローストウはまた、部分的に煙の粒子相成分を濾過して取り除き、更にメントールは、酢酸セルローストウを通って軸方向に延びる中心香味担持スレッド２０から主流煙の中に放出される
【０１３３】
　マルチセグメントフィルタ１４のロッドエンドフィルタセグメント２４及びマウスエンドフィルタセグメント１６の酢酸セルローストウは、主流煙の粒子相成分を濾過する。同時に、ロッドエンドフィルタセグメント２４の粒体、及びマルチセグメントフィルタ１４のマウスエンドフィルタセグメント１６の中心香味担持スレッド２０は、主流煙に対して２段階の香味強化をもたらす。」
「【０１４７】
　実施例
　図３に示す本発明の第３の実施形態のフィルタ付きシガレットが製造され、下の表３に示す寸法及び特性を有する。」
「表３
」
「図３
」
（２）　上記（１）の記載事項を総合し、実施例の図３に示すフィルタ付きシガレットに着目すると、以下の発明が引用文献１には、記載されていると認めらる。
「約４ｍｇと約６ｍｇの間のタール送達を有する低タール通気式フィルタ付きシガレットであって、
　喫煙物品のフィルタに使用するフィルタセグメントが、
　少なくとも１つの煙改質剤が充填された非層状基材を含み、前記非層状基材が、メントールが充填された中心香味担持スレッドからなり、前記フィルタセグメントの本体内に配置され、１２０００コレスタ単位の通気性を有するフィルタプラグラップから形成され、酢酸セルローストウのプラグを含む、長さ１５ｍｍで吸引抵抗（ＲＴＤ）が５６ｍｍＷＧである、マウスエンドのフィルタセグメントと、
　メントールが充填された複数の粒体を有する高濾過効率の酢酸セルローストウのプラグであり、長さが１２ｍｍで吸引抵抗（ＲＴＤ）が５０ｍｍＷＧである、ロッドエンドのフィルタセグメントとを含む、
　マルチセグメントフィルタとされ、
　消費者によって喫煙可能材料のロッドからフィルタを通って吸い込まれる主流煙を通気するために、フィルタに沿った場所において穿孔の少なくとも１つの円周の列を含み、穿孔の少なくとも１つの円周の列は、フィルタのマウスエンドから少なくとも１２ｍｍに配置され、ＩＳＯ９５１２：２００２で測定する場合に約４０％と約８０％の間の通気を有することが好ましく、約７０％の通気を有し、 
　喫煙時、フィルタ付きシガレットの包装されたタバコロッドの着火端部から下流に吸い込まれる主流煙は、マルチセグメントフィルタのロッドエンドフィルタセグメントを通過し、ここで、高濾過効率の酢酸セルローストウは、部分的に煙の粒子相成分を濾過して取り除き、メントールは、酢酸セルローストウに分配された粒体から主流煙の中に放出され、次いで、主流煙は、マウスエンドフィルタセグメントの下流を通過し、ここで、酢酸セルローストウはまた、部分的に煙の粒子相成分を濾過して取り除き、更にメントールは、酢酸セルローストウを通って軸方向に延びる中心香味担持スレッドから主流煙の中に放出される、
　低タール通気式フィルタ付きシガレット。」
                                    
２．引用文献２について
　また、原査定の拒絶の理由に引用された上記引用文献２には、図面とともに次の事項が記載されている。
「【００４５】
　＜第２のフィルタセグメントの作製＞
　フィルタ素材としてセルロースアセテート繊維を用い、糸として漂白綿糸（太さ：イギリス式番手表示で２０／８）、香気発生剤としてメントールを用い、上記公知の方法により、第２のフィルタセグメントを作製した。綿糸には、６ｍｇのメントールを担持させた。作製した第２のフィルタセグメントの円周長は２４．９ｍｍであり、長さは１５ｍｍであった。
【００４６】
　＜フィルタ付きシガレットの作製＞
　通常のタバコ充填材（メントール添加）、巻紙、チップペーパーおよび上で作製した第１および第２のフィルタセグメントを用い、図２に示す構造を有するフィルタ付きシガレットを作製した。シガレットロッドの円周長は２４．９ｍｍであり、長さは５９ｍｍであった。また、チップペーパーの、第２のフィルタセグメント（１２０）の端面１２０ｂからの長さは３２ｍｍであり、そしてチップペーパーには、第２のフィルタセグメント（１２０）の端面１２０ｂから１４ｍｍの位置に多数のベンチレーション孔を設けた。作製したフィルタ付きシガレットのタバコ充填材は、４ｍｇのメントールを含んでいた。すなわち、作製したフィルタ付きシガレットは、合計で、（６＋４＝）１０ｍｇのメントールを担持していた。
【００４７】
　比較例１
　タバコ充填材に添加したメントール量を６ｍｇに変更し、メントール担持糸を組み込んだ第２のフィルタセグメントの代わりにメントール３ｍｇを添加したセルロースアセテート繊維トウからなるフィルタを用いた以外は、実施例１と同様にして、フィルタ付きシガレットを作製した。このフィルタシガレットは、合計で、実施例１のフィルタ付きシガレットより少ない（６＋３＝）９ｍｇのメントールを担持していた。」
３．引用文献３について
　また、原査定の拒絶の理由に引用された上記引用文献３には、図面とともに次の事項が記載されている。
「［００５１］　＜第二実施形態＞ 
　図１０に本発明の第二実施形態であるカプセルフィルターを有するシガレットを示す。
［００５２］このシガレットは、フィルター部分が第一実施形態と異なり他の同一の部分には同一の符号を付して説明を省略する。
［００５３］　第二実施形態のフィルター４は、フィルタープラグ４４と、フィルタープラグ４４の周囲に巻かれた外包紙の一例である巻取紙４６と、フィルタープラグ４４の中に埋め込まれたカプセル４８と、で構成されている。（このようにフィルターの内部にカプセルが埋め込まれた構造のフィルターを本明細書では「埋め込みフィルター」と呼ぶ）。
［００５４］　カプセル、フィルタープラグ、チップペーパー、巻取紙は第一実施形態において説明したものと同様のものを使用することが出来、シガレットの各寸法においても第一実施形態において説明したものと同様のものを使用することが出来る。
［００５５］　また、カプセルの製造方法についても第一実施形態で説明したカプセルと同様なのでここでは説明を省略する。
［００５６］　本実施形態においてもカプセル４８は周辺フィルター４１ａ、４１ｂにおいてフィルタープラグの径方向外側からのフィルタープラグ４４への押込率が０．５に到達する前に破壊される。
［００５７］　また、カプセル比Ｂ／Ａは０．５５≦Ｂ／Ａ≦０．７５、好ましくは０．５５≦Ｂ／Ａ≦０．７０、とすることが出来き、カプセル変形率は２／３以下である。
［００５８］　第二実施形態におけるフィルター付きシガレットにおいてもカプセルはフィルターの中に存在するため、ユーザーがカプセルを破壊する際には周辺フィルター４１ａ、４１ｂにも圧を与えるので、カプセルを破壊する際にはフィルターが反発力として働くことになり、反発力の値はカプセルを破壊するために押込率が大きくなればそれだけ大きくなる。
［００５９］　しかし、本実施形態によるカプセルフィルターを有するシガレットはフィルターの押込率が特定値（０．５）以下のときにカプセルを破壊することが出来るので、ユーザーが従来よりもカプセルを破壊しやすいと感じることが出来る。
［００６０］　従来の埋め込みフィルターを有するシガレットにおいてはカプセル箇所４３におけるフィルターの存在により大きな「わりにくい」感覚を与える傾向にあったため、本発明の適用が特に有効である。
［００６１］　また、一般的に埋め込みフィルターを有するシガレットにおいては、セルロースアセテート繊維などをロッド状に凝集形成してフィルタープラグを作成する工程において、繊維を凝集する際にカプセルを繊維内に配置して作成される。
［００６２］　従って、その様にして作成された第二実施形態におけるフィルター付きシガレットにおいてはカプセル比が０．５５≦Ｂ／Ａ≦０．７５であることによって、カプセル位置のフィルタープラグが従来よりも押し固められるのでユーザーの指による圧力がカプセルに伝達しやすくなり、よりいっそうユーザーがカプセルを割りやすいと感じることができる。
［００６３］　カプセルの割りやすさとユーザーがシガレットを吸引する際に感じる通気抵抗の関係を鑑みると、カプセル比が０．５５≦Ｂ／Ａ≦０．７０の場においては、カプセルの割りやすさを維持しながら通気抵抗もほど良くすることができる（通気抵抗が高すぎると吸引が困難となり、通気抵抗が低すぎると吸引している感じが得にくい。）という点で好ましい。
［００６４］　また、本実施形態においても前述のとおり、本発明はチップペーパーの外周長さが２５ｍｍ以下、２３ｍｍ以下、１７ｍｍ以下、１５ｍｍ以下と小さくなればそれに応じてより好適に適用できる。」
４．引用文献４について
　また、原査定の拒絶の理由に引用された上記引用文献４には、図面とともに次の事項が記載されている。
「【００７３】
　流量制限要素２６は、直径が小さい単一の中央オリフィス３８が設けられた横方向障壁３６を更に含む。図２に示すように、横方向障壁３６は、流量制限要素２６の第１及び第３の管状部分３０、３４の内側周囲によって少なくとも部分的に形成された第１の上流側空洞４０と、流量制限要素の第２の管状部分３２の内側周囲によって部分的に形成された第２の下流側空洞４２との間に配置される。」
５．引用文献５について
　また、原査定の拒絶の理由に引用された上記引用文献５には、図面とともに次の事項が記載されている。
「【００４８】
　また、本発明では、たばこフィルタの通気抵抗を増大させることなく、たばこフィルタ内に前記たばこフィルタ用素材を組み込むことができる。そのため、本発明のたばこフィルタは、たばこ煙用に適した通気性を有しており、たばこフィルタの通気抵抗は、長さ１２０ｍｍ、円周２４．５±０．２ｍｍのたばこフィルタを、流量１７．５ｍｌ／秒で空気を通過させたときの圧力損失で測定したとき、１５０〜６００ｍｍＷＧ（ウォーターゲージ）の範囲から選択でき、例えば、１６０〜３００ｍｍＷＧ、好ましくは１７０〜２５０ｍｍＷＧ、さらに好ましくは１７０〜１９０ｍｍＷＧ程度であってもよい。  
　また、本発明のたばこは、前記たばこフィルタ（又はたばこフィルタ用素材）を備えている。」
６．引用文献６について
　また、原査定の拒絶の理由に引用された上記引用文献６には、図面とともに次の事項が記載されている。
「本発明のフイルター用プラグは第４図に示す如き独特な構造を有しているものであり、この構造によつて発現される第１の効果はその通気抵抗と使用トウ量との関係である。この点を立証するため、本発明のフイルター用プラグと従来のプレーンフイルター用プラグと比較してその通気抵抗とトウ使用量との関係を第５図に示した。繊維集合体としては、単繊維が２．２デニールのＹ型断面よりなるアセテート・トウを用いた。フイルター用プラグの形状は円周２４．７ｍｍ、長さ１２０ｍｍとした。」（公報第２ページ左下欄第１４行〜右下欄第４行）
第５　当審の判断
１．本願発明１について
（１）対比
　本願発明１と引用発明とを対比すると、各文言の意味、機能または作用等からみて、
引用発明の「フィルタ」・「マルチセグメントフィルタ」、
「マウスエンドのフィルタセグメント」・「ロッドエンドのフィルタセグメント」、
「酢酸セルローストウ」、
「吸引抵抗（ＲＴＤ）」、
「ロッド」、
「穿孔」、
及び「メントール」は、
　それぞれ、本願発明１の「フィルター部」、
「セグメント」、
「セルロースアセテートトウ」、
「通気抵抗」、
「たばこロッド部」、
「ベンチレーション孔」、
及び「メンソール」に相当する。
　また、引用発明の、「少なくとも１つの煙改質剤が充填された非層状基材を含み、前記非層状基材が、メントールが充填された中心香味担持スレッドからな」る「マウスエンドのフィルタセグメント」と、「メントールが充填された複数の粒体を有する高濾過効率の酢酸セルローストウのプラグであ」る「ロッドエンドのフィルタセグメント」とからなる「マルチセグメントフィルタ」を有する「低タール通気式フィルタ付きシガレット」は、低タールメンソールシガレットといえるから、引用発明の「約４ｍｇと約６ｍｇの間のタール送達を有する低タール通気式フィルタ付きシガレット」と、本願発明１の「タール量が５ｍｇ以下の低タールメンソールシガレット」とは、「タール量が５ｍｇ以下４ｍｇ以上の低タールメンソールシガレット」との限りで一致している。
　引用発明の「フィルタセグメント」は、「マウスエンドのフィルタセグメント」と「ロッドエンドのフィルタセグメント」とからなる「マルチセグメントフィルタ」とされているが、「ロッドエンドのフィルタセグメント」は、「酢酸セルローストウのプラグ」からなり、単一のセグメントをなすものである。そうすると、引用発明の「フィルタセグメント」は、本願発明１の「前記フィルター部はセルロースアセテートトウで構成された単一のセグメントを含」むものに相当する。
　引用発明の「長さ１５ｍｍで吸引抵抗（ＲＴＤ）が５６ｍｍＷＧである、マウスエンドのフィルタセグメント」と、「長さが１２ｍｍで吸引抵抗（ＲＴＤ）が５０ｍｍＷＧである、ロッドエンドのフィルタセグメントとを含む、マルチセグメントフィルタ」は、マルチセグメントフィルタとして、両者を併せてみると、長さが２７ｍｍで、吸引抵抗が１０６ｍｍＷＧといえる。そうすると、引用発明の「長さ１５ｍｍで吸引抵抗（ＲＴＤ）が５６ｍｍＷＧである、マウスエンドのフィルタセグメント」と、「長さが１２ｍｍで吸引抵抗（ＲＴＤ）が５０ｍｍＷＧである、ロッドエンドのフィルタセグメントとを含む、マルチセグメントフィルタ」と、本願発明１の「前記フィルター部の通気抵抗が２５〜５０ｍｍＨ２Ｏ／２７ｍｍである」こととは、「前記フィルター部が通気抵抗を有する」との限りで一致する。
　また、引用発明の「穿孔」がベンチレーションの役割をすることは明らかであるから、引用発明の「消費者によって喫煙可能材料のロッドからフィルタを通って吸い込まれる主流煙を通気するために、フィルタに沿った場所において穿孔の少なくとも１つの円周の列を含み、 穿孔の少なくとも１つの円周の列は、フィルタのマウスエンドから少なくとも１２ｍｍに配置され」ていることと、本願発明１の「前記チップペーパーに穿設されたベンチレーション孔」があることとは、「穿設されたベンチレーション孔」があることとの限りで一致する。
　引用発明の「ＩＳＯ９５１２：２００２で測定する場合に約４０％と約８０％の間の通気を有することが好ましく、約７０％の通気を有し」ていることと、本願発明１の「ベンチレーション孔からの空気流入のベンチレーション割合が７０％以上であ」ることとは、「ベンチレーション孔からの空気流入のベンチレーション割合が７０％以上８０％以下であ」る限りで一致する。
　引用発明の「前記非層状基材が、メントールが充填された中心香味担持スレッドからな」る「マウスエンドのフィルタセグメント」は、「マウスエンドフィルタセグメントの下流を通過し、ここで、酢酸セルローストウはまた、部分的に煙の粒子相成分を濾過して取り除き、更にメントールは、酢酸セルローストウを通って軸方向に延びる中心香味担持スレッドから主流煙の中に放出される」態様を有し、「メントールが充填された複数の粒体を有する高濾過効率の酢酸セルローストウのプラグであ」る「マルチセグメントフィルタのロッドエンドフィルタセグメント」は、「ここで、高濾過効率の酢酸セルローストウは、部分的に煙の粒子相成分を濾過して取り除き、メントールは、酢酸セルローストウに分配された粒体から主流煙の中に放出され」る態様を有することと、本願発明１の「前記フィルター部のセルロースアセテートトウに収着させることでメンソールが添加されている」こととは、「前記フィルター部にメンソールが添加されている」ことの限りで一致する。
　したがって、本願発明１と引用発明との間には、次の一致点、相違点があるといえる。
（一致点）
「たばこロッド部と、フィルター部を有する、タール量が５ｍｇ以下４ｍｇ以上の低タールメンソールシガレットであって、前記フィルター部はセルロースアセテートトウで構成された単一のセグメントを含み、前記フィルター部が通気抵抗を有し、穿設されたベンチレーション孔からの空気流入のベンチレーション割合が７０％以上８０％以下であり、フィルター部にメンソールが添加されている、低タールメンソールシガレット。」
                                           
（相違点）
　フィルター部について、本願発明１は、「チップペーパーで巻装された」ものであり、「ベンチレーション孔」が「チップペーパーに穿設された」ものであり、「通気抵抗が２５〜５０ｍｍＨ２Ｏ／２７ｍｍである」とともに、「前記フィルター部のセルロースアセテートトウに収着させることでメンソールが添加されている」のに対して、引用発明は、フィルタプラグラップを有するものの、チップペーパーを備えるかは不明であり、また、マルチセグメントフィルタの吸引抵抗が１０６ｍｍＷＧ／２７ｍｍであり、「マウスエンドのフィルタセグメント」は、「少なくとも１つの煙改質剤が充填された非層状基材を含み、前記非層状基材が、メントールが充填された中心香味担持スレッドからな」り、また、「ロッドエンドのフィルタセグメント」に「メントールが充填された複数の粒体」によりメンソールが添加されている点。
（２）相違点についての判断
　本願発明１は、「フィルター部のセルロースアセテートトウに収着させることでメンソールが添加されている」ものであり、「収着」について、本願明細書には、具体的に定義はないが、一般に、「吸収と吸着とが同時に行われること。」（広辞苑第六版）からして、本願発明１は、セルロースアセテートトウにメンソールが吸収及び吸着とが同時に行われている態様のものであるといえる。
　一方、引用発明は、「少なくとも１つの煙改質剤が充填された非層状基材を含み、前記非層状基材が、メントールが充填された中心香味担持スレッドからな」り、また、「メントールが充填された複数の粒体によりメンソールが添加されてい」るものであって、フィルター部のセルロースアセテートトウにメンソールが収着されている態様とは異なるものといえる。
　そして、本願発明１は、フィルター部のセルロースアセテートトウにメンソールが収着されているものについて、「メンソール製品の中でも特に低タールシガレットの喫煙時の煙中メンソール量や、蔵置後の煙中メンソール量の安定性を高められる」（本願明細書【０００６】）、「本発明では、喫煙時の煙中メンソール量が高められていると共に、蔵置後の煙中メンソール量の変化が少ない低タールメンソールシガレットを提供する。」（本願明細書【０００７】）との課題を解決するために、穿設されたベンチレーション孔からの空気流入のベンチレーション割合が７０％以上のものにおいて、上記相違点における、「通気抵抗が２５〜５０ｍｍＨ２Ｏ／２７ｍｍ」とすることで上記課題の解決手段とするものである。
　そして、本願発明１は、上記相違点に係る本願発明の特定事項を採用することにより、空気流入のベンチレーション割合が高いシガレット設計にすることで、煙中メンソール量が高くなることを実証し（本願発明【００３３】）、フィルターの通気抵抗が低いフィルターを使用することで、煙中メンソール量が安定して維持されやすいことを実証し（本願明細書【００４１】）、さらに、通気抵抗の低いフィルターに対してベンチレーションの割合が高い条件と併せて供した場合においても、「前記フィルター部の通気抵抗が２５〜５０ｍｍＨ２Ｏ／２７ｍｍであるとともに、前記チップペーパーに穿設されたベンチレーション孔からの空気流入のベンチレーション割合が７０％以上であ」る態様とすることで、煙中メンソールの量が高くなり且つ蔵置後においてもメンソールが安定して維持されやすいシガレットを作製することが可能となることが確認されている（本願明細書表５、図１）。
　そうすると、引用発明において、メンソールの添加状態の異なる低タール通気式フィルタ付きシガレットにおいて、上記相違点に係る本願発明１の特定事項を採用する動機付けがあるとはいえず、他の引用文献２〜６を参照しても、示唆するところはない。
　また、引用文献１〜６をみても、上記相違点に係る本願発明１の特定事項が、当業者が適宜なし得る設計的事項ということはできない。　　
　そうすると、引用発明において、相違点に係る本願発明１の特定事項を採用することが、引用発明、引用文献２〜６に記載された事項に基いて当業者が容易に想到し得たということはできない。
　したがって、本願発明１は、引用発明、引用文献２〜６に記載された事項に基いて当業者が容易に発明をすることができたものであるとはいえない。
２．本願発明２〜５について
　本願発明２〜５も、上記相違点に係る本願発明１の構成を備えるものであるから、本願発明１と同じ理由により、引用発明、引用文献２〜６に記載された事項に基いて当業者が容易に発明をすることができたものとはいえない。
第６　むすび
　以上のとおり、原査定によっては、本願を拒絶することはできない。
　また、他に本願を拒絶すべき理由を発見しない。
　よって、結論のとおり審決する。